(57)【要約】      （修正有）【課題】免疫学的測定に用いる免疫反応を促進するための組成物を提供する。【解決手段】免疫反応を促進するための組成物は、重量％濃度が０．０１％以上のブロッキング剤および重量％濃度が１〜１０％の平均分子量が２，０００〜２６，０００のポリエチレングリコールを含有する。そして、ブロッキング剤としては、人工合成ポリマー、正常血清、ウシ血清アルブミン、ゼラチン、カゼインから選択されるいずれか１種以上を使用でき、２以上の組成物を組み合わせることができる。【選択図】なし【特許請求の範囲】
【請求項１】
免疫反応を促進するための組成物であって、重量％濃度が０．０１％以上のブロッキング剤および重量％濃度が１〜１０％の平均分子量が２，０００〜２６，０００のポリエチレングリコールを含有することを特徴とする免疫反応促進用組成物。
【請求項２】
ブロッキング剤が、人工合成ポリマー、正常血清、ウシ血清アルブミン、ゼラチン、カゼインから選択されるいずれか１種以上のブロッキング剤であること特徴とする請求項１に記載の免疫反応促進用組成物。
【請求項３】
ブロッキング剤が、カゼインであることを特徴とする請求項１または２に記載の免疫反応促進用組成物。
【請求項４】
塩濃度が４０〜４００ｍＭであることを特徴とする請求項１〜３のいずれかに記載の免疫反応促進用組成物。
【請求項５】
２以上の組成物の組み合わせからなる、請求項１〜４に記載の免疫反応促進用組成物。
【請求項６】
組成物の組み合わせが、一次抗体反応促進用組成物と二次抗体促進用組成物の組み合わせである、請求項５に記載の免疫反応促進用組成物。
【請求項７】
塩濃度が４０〜１００ｍＭの一次抗体反応促進用組成物と、１５０〜４００ｍＭの二次抗体促進用組成物の組み合わせからなることを特徴とする請求項４〜６のいずれかに記載の免疫反応促進用組成物。
【請求項８】
塩が塩化ナトリウムであることを特徴とする請求項４〜７のいずれかに記載の免疫反応促進用組成物。
【請求項９】
重量％濃度が０．００１〜０．２％非イオン系界面活性剤を含有することを特徴とする請求項１〜８のいずれかに記載の免疫反応促進用組成物。
【請求項１０】
非イオン系界面活性剤が、ポリエチレングリコールモノ−ｐ−イソオクチルフェニルエーテル、ポリオキシエチレンソルビタンモノラウレートから選択されるいずれか１種以上の非イオン系界面活性剤であることを特徴とする請求項９に記載の免疫反応促進用組成物。
【請求項１１】
抗体の保存安定性が向上していることを特徴とする請求項１〜１０のいずれかに記載の免疫反応促進用組成物。
【請求項１２】
請求項１〜１１のいずれかに記載の免疫反応促進用組成物を含む、免疫アッセイに用いるためのキット。
【請求項１３】
請求項１〜１１のいずれかに記載の免疫反応促進用組成物を用いて、ウェスタンブロッティング、ドットブロッティング、免疫組織染色、酵素免疫測定、放射免疫測定、免疫沈降、フローサイトメトリー等の免疫アッセイを行う方法。
【請求項１４】
免疫反応が、ウェスタンブロッティングまたはドットブロッティングにおける免疫反応であることを特徴とする請求項１に記載の免疫反応促進用組成物。
【請求項１５】
免疫反応が、酵素免疫測定（ＥＬＩＳＡ、ＥＩＡ）における免疫反応であることを特徴とする請求項１に記載の免疫反応促進用組成物。
【請求項１６】
免疫反応が、免疫染色における免疫反応であることを特徴とする請求項１に記載の免疫反応促進用組成物。
【発明の詳細な説明】
【技術分野】
【０００１】
本発明は、免疫アッセイに用いる免疫反応を促進するための組成物に関する。
【背景技術】
【０００２】
今日、抗体を使った解析手法は、免疫学の枠を超え、生物学全般の研究分野において、必要不可欠な技術となっている。さらに、近年においては、ヒトをはじめとした様々な生物種のゲノム情報の解析が次第に進み、ゲノム情報の解析、いわゆるポストゲノミクスが注目されるにつれ、その中でも特にタンパク質の機能解析や相互作用解析がますます重要視されるようになっていたこともあり、抗体を用いた免疫アッセイ法の役割がより一層高まってきている。
【０００３】
抗体を用いた免疫アッセイ法としての古くから知られているものは、組織中に存在する抗原（タンパク質など）を蛍光色素、酵素などを用いて可視化する免疫組織化学（Ｉｍｍｕｎｏｈｉｓｔｏｃｈｅｍｉｓｔｒｙ：  ＩＨＣ）、タンパク質を電気泳動し、特異的な抗体で可視化することによりタンパク質の発現パターンや分子量を測定するウェスタンブロッティング（Ｗｅｓｔｅｒｎ  Ｂｌｏｔｔｉｎｇ：  ＷＢ）、抗原あるいは抗体を反応プレートに固相し、酵素標識した抗原あるいは抗体をもちいて、試料中の微量な抗原あるいは抗体を検出する酵素免疫測定（Ｅｎｚｙｍｅ  Ｉｍｍｕｎｏａｓｓａｙ：  ＥＩＡ）、蛍光標識した抗体で細胞を染色し、細胞から発せられる蛍光を指標として解析や細胞の分離を行うフローサイトメトリーなどがあり、いずれも企業や研究機関の研究室等で広く用いられている技術である。また、抗体を使ってタンパク質を特異的に精製する方法として、抗体カラムによる精製法や、免疫沈降法なども良く用いられている。更に近年においては、ファージディスプレイ法などを用いた抗体によるタンパク質スクリーニング法、抗体を用いた医薬なども開発され、免疫学的手法はその需要の増大とともに用途も急速に広まりつつある。
【０００４】
一方、抗体には、単一の抗原における複数の抗原決定基に結合するそれぞれの抗体の混合物であるポリクローナル抗体と、単一の抗原決定基に結合する一種類の抗体からなるモノクローナル抗体とがあり、それぞれ作成方法が異なる。ポリクローナル抗体は、抗原との反応性が強く、抗原の立体構造の変化等に対する影響が少ないことから、免疫組織染色、ウェスタンブロッティング等により適している。また、モノクローナル抗体は、反応性がより限定されているため、ポリクローナル抗体よりも厳密な検討を行うのに適しており、またロット間差が安定しているという利点もある。それぞれ長所・短所があり、使用目的により使い分けられている。
【０００５】
抗体は、同一の抗原に対する抗体であっても、作成毎に性能が大きく異なることが良く知られている。そのため、さまざまな会社から同一の抗原に対する抗体が市販されているものの、使用に際しては各社の抗体をそれぞれ比較することが重要となる。また、ポリクローナル抗体に関しては、上記のような理由からロット間の比較も必要となってくる。しかしながら、各社、あるいはロット毎の比較を広く行うには、膨大なコストと時間を要し、本来目的とする免疫学的測定に際して、予備検討を行うのが非常に負担となるという現状があった。更に、抗原の種類によっては性能の良い抗体を作るのが非常に難しい場合があることも知られており、ヒスチジンタグやリン酸化セリン・スレオニンに対する抗体は、使用頻度が非常に高いものの、良好な性能を持つ抗体が存在しないというのが現状であった。
【０００６】
一方、抗原抗体反応を用いた免疫アッセイは、検出しようとする抗原に直接結合する
抗体（一次抗体）と、一次抗体に特異的に結合する抗体（二次抗体）を用いて、さらに二次抗体には検出用の標識体（色素や酵素など）を付加しておいたものを用いることによって、シグナルを増幅させる方法（間接法）が頻繁に用いられる。しかしながら、この方法では、一次抗体に直接標識体を付加しておいたものを用いる方法（直接法）に比べて、二次抗体由来の非特異的なシグナルも増幅されるため、高いシグナル対ノイズ比が得られにくいという欠点があるのが現状であった。
【０００７】
また一方、抗体をポリエチレングリコールを含有した水溶液で希釈することにより、抗体の保存安定性が悪くなることが以前から知られていた。そのため、ポリエチレングリコールを含有した水溶液により抗体を希釈したものを用いて抗原抗体反応を行う際には、抗体の希釈は操作開始の直前に行わなければならず、同一の操作を数回に分けて実施する際には、その都度、抗体希釈操作を行わなければならないというのが現状であった。
【発明の開示】
【発明が解決しようとする課題】
【０００８】
このように、免疫学的手法の需要が増大し、学問的・応用的用途が次第に広まってゆく傾向にある中で、抗体を従来よりも効率的に抗原と反応させる方法が求められていた。
【課題を解決するための手段】
【０００９】
本発明者らは、上記目的を達成するために鋭意検討を重ね、反応系中にブロッキング剤およびポリエチレングリコールを適正な濃度で添加することにより抗原抗体反応効率が向上することおよび抗体の保存安定性が向上することを見出し、本発明を完成させるに至った。
【００１０】
すなわち本発明は、
「［項１］
免疫反応を促進するための組成物であって、重量％濃度が０．０１％以上のブロッキング剤および重量％濃度が１〜１０％の平均分子量が２，０００〜２６，０００のポリエチレングリコールを含有することを特徴とする免疫反応促進用組成物。
［項２］
ブロッキング剤が、人工合成ポリマー、正常血清、ウシ血清アルブミン、ゼラチン、カゼインから選択されるいずれか１種以上のブロッキング剤であること特徴とする項１に記載の免疫反応促進用組成物。
［項３］
ブロッキング剤が、カゼインであることを特徴とする項１または２に記載の免疫反応促進用組成物。
［項４］
塩濃度が４０〜４００ｍＭであることを特徴とする項１〜３のいずれかに記載の免疫反応促進用組成物。
［項５］
２以上の組成物の組み合わせからなる、項１〜４に記載の免疫反応促進用組成物。
［項６］
組成物の組み合わせが、一次抗体反応促進用組成物と二次抗体促進用組成物の組み合わせである、項５に記載の免疫反応促進用組成物。
［項７］
塩濃度が４０〜１００ｍＭの一次抗体反応促進用組成物と、１５０〜４００ｍＭの二次抗体促進用組成物の組み合わせからなることを特徴とする項４〜６のいずれかに記載の免疫反応促進用組成物。
［項８］
塩が塩化ナトリウムであることを特徴とする項４〜７のいずれかに記載の免疫反応促進用組成物。
［項９］
重量％濃度が０．００１〜０．２％非イオン系界面活性剤を含有することを特徴とする項１〜８のいずれかに記載の免疫反応促進用組成物。
［項１０］
非イオン系界面活性剤が、ポリエチレングリコールモノ−ｐ−イソオクチルフェニルエーテル、ポリオキシエチレンソルビタンモノラウレートから選択されるいずれか１種以上の非イオン系界面活性剤であることを特徴とする項９に記載の免疫反応促進用組成物。
［項１１］
抗体の保存安定性が向上していることを特徴とする項１〜１０のいずれかに記載の免疫反応促進用組成物。
［項１２］
項１〜１１のいずれかに記載の免疫反応促進用組成物を含む、免疫アッセイに用いるためのキット。
［項１３］
項１〜１１のいずれかに記載の免疫反応促進用組成物を用いて、ウェスタンブロッティング、ドットブロッティング、免疫組織染色、酵素免疫測定、放射免疫測定、免疫沈降、フローサイトメトリー等の免疫アッセイを行う方法。
［項１４］
免疫反応が、ウェスタンブロッティングまたはドットブロッティングにおける免疫反応であることを特徴とする項１に記載の免疫反応促進用組成物。
［項１５］
免疫反応が、酵素免疫測定（ＥＬＩＳＡ、ＥＩＡ）における免疫反応であることを特徴とする項１に記載の免疫反応促進用組成物。
［項１６］
免疫反応が、免疫染色における免疫反応であることを特徴とする項１に記載の免疫反応促進用組成物。」
である。
【００１１】
本発明は免疫アッセイを行うための免疫反応促進用組成物である。
【００１２】
本願発明における免疫反応とは、ある抗原と、それに対して特異的に結合する性能を持つ抗体とが、特異的に結合する反応、すなわち抗原抗体反応を指し、また免疫アッセイとは、抗原抗体反応を利用することにより、抗原あるいは抗体の特異的検出や精製を行うことを指す。
【００１３】
免疫反応を利用する解析手法には種々のものがあるが、本願発明は原則としていかなる手法においても適用することができる。特にウェスタンブロッティング、ドットブロッティング、免疫染色（免疫組織染色、免疫細胞染色）、酵素免疫測定（ＥＬＩＳＡ、ＥＩＡ）、放射免疫測定においては、抗原抗体反応系において特別な成分は特に必須とされず、本願発明の組成物を適用するのが容易であるとの理由により好適に利用することができる。
なお、これらの免疫反応に用いる抗原、抗体をはじめとする反応に必要な構成は、特に制限されるものではない。当業者は、用いる実験手法に応じて、これらを適宜選択し、さらに必要に応じて適当な手段により加工する（たとえば、標識化する）等、通常なしうる技術を用いて、反応系を構築することができる。
【００１４】
本願発明における保存安定性は、実施例３に示されるように、本願発明の組成物を用いて抗体を適宜濃度に希釈したものを、３７℃で２週間保存した後に、該組成物を、免疫反応を利用する実験手法に適用したときの反応の程度を比較することにより判断することができる。より具体的には、同濃度の抗体を本願発明により希釈したものと、一般的に抗体の希釈に用いられる緩衝液、より具体的にはトリス緩衝生理塩水（ＴＢＳ）またはリン酸緩衝生理塩水（ＰＢＳ）等により希釈したものとを、３７℃で２週間保存した後に、該組成物により酵素免疫測定（ＥＩＡ）を行うことにより、抗体の抗原への結合力の低下度合いを定量的に測定することができる。
【００１５】
本願発明に用いるポリエチレングリコールの含有量は１重量％以上１０重量％以下であり、好ましくは２重量％以上９重量％以下、より好ましくは３重量％以上８重量％以下である。あまり含有量が低いと抗原抗体反応効率向上に対する効果がなく、あまり含有量が高いと非特異反応が増大し、さらに濃度が高いと抗原抗体反応に対して阻害的に作用する。また、抗原と抗体との組み合わせにより、特異的な結合と非特異的な結合の比、いわゆるＳ／Ｎ比を最大にするための最適なポリエチレングリコール濃度が異なるため、抗原と抗体の組み合わせによりポリエチレングリコールの濃度を前述の範囲内で変えるのが好ましい。また、本願発明に用いるポリエチレングリコールは、平均分子量が２，０００〜２６，０００である。好ましくは２，５００〜１５，０００である。あまり平均分子量が低いかもしくは高いと、抗原抗体反応効率向上に対する効果がなく、また濃度が高い場合には抗原抗体反応に対して阻害的に作用する。
これらはいずれも市販品などを用いることができる。ポリエチレングリコールの定量は種々の公知の方法、より具体的には屈折率測定法、クロマトグラフィー法などで行うことができる。また、ポリエチレングリコールの平均分子量は種々の公知の方法、より具体的には、クロマトグラフィー法（ＧＰＣ法）、粘度法、束一的性質を利用した方法（蒸気圧法・浸透圧法・沸点上昇法）、光散乱法、沈降速度法（超遠心法）などの方法を用いて行うことができる。
【００１６】
本願発明のブロッキング剤とは、抗原が存在しない部位への抗体タンパク質の非特異的な吸着を防ぎ、特異的な抗原抗体反応を増強するためのものであって、その濃度は好ましくは０．０１％以上であり、より好ましくは０．０１％以上５％以下、さらに好ましくは０．０１％以上１％以下、最も好ましくは０．０１％以上０．５％以下である。あまり含有量が低いと抗原抗体反応効率向上または非特異的反応の低減に対する効果がなく、あまり含有量が高いと抗原抗体反応に対して阻害的に作用する。ここで言うブロッキング剤とは、抗体が抗原の存在しない部位への非特異的吸着を防止するために、抗体反応の前に抗原を含む検体を前処理する場合や、抗体の非特異的な反応を防止するために、抗体反応用の希釈液への添加に用いられるものであって、その形態は特に限定されず、どのような物質を用いても良いが、免疫反応においては一般的に２−メタクリロイルオキシエチルホスホリルコリン重合体などの人工合成ポリマー、ウサギ、ヤギ等の動物由来正常血清、ウシ血清アルブミン、ゼラチン、カゼイン、界面活性剤などが多用されており、本願発明においても、これらから選択されるいずれか１種以上のブロッキング剤を用いるのが好ましく、カゼインがより好ましい。
これらはいずれも、適当な緩衝液に該ブロッキング剤抗体を添加し、該組成物を、免疫反応を利用する実験手法に適用したときの非特異反応の程度を比較することにより判断することができる。より好ましくは、酵素免疫測定（ＥＩＡ）において、該ブロッキング剤を一般的に用いられる緩衝液、より具体的にはトリス緩衝生理塩水（ＴＢＳ）またはリン酸緩衝生理塩水（ＰＢＳ）等により希釈したものを、抗体反応前の抗原を含む検体へ滴下し、３７℃で１時間インキュベートした後に、抗体反応を行うことにより、抗体の非抗原への非特異的吸着の度合いを定量的に測定することができる。
これらはいずれも市販品などを用いることができる。
本願発明のカゼインとは、乳タンパク質の主体をなすタンパク質を指し、その形態は特に限定されないが、牛乳から精製されたものが特に好適に用いられる。カゼインは電気泳動的にα、β、γの３成分からなることが知られているが、本願発明に用いるカゼインは、これらのうち一種類であってもよく、混合物であっても良い。また、酵素的に加水分解したものであっても良い。また、本願発明に用いるカゼインの含有量は０．０１重量％以上である。本願発明の組成物に含まれるカゼインは、電気泳動などで容易に測定することが可能である。
【００１７】
本願発明の組成物には、非イオン系界面活性剤を含有することができる。非イオン系界面活性剤の濃度は、好ましくは０．００１〜０．２重量％である。あまり濃度が高いと抗原抗体反応に対して阻害的に作用し、あまり低いと非特異反応が増大する。また本願発明における非イオン系界面活性剤は、その形態は限定されないが、好ましくはエーテル型、より具体的にはポリエチレングリコールモノ−ｐ−イソオクチルフェニルエーテル等、またはエステルエーテル型、より具体的にはポリオキシエチレンソルビタンモノラウレート等から選択されるいずれか１種以上の非イオン系界面活性剤が用いられる。
これらはいずれも市販品などを用いることができる。
【００１８】
上記の塩および非イオン系界面活性剤は、いずれか一方含有しても良いし両方含有しても良いが、両方含有している方がより好ましい。
【００１９】
本願発明の組成物には、塩を含有することができる。組成物の塩濃度は、特に限定されるものではないが、好ましくは４０〜４００ｍＭ、さらに好ましくは４０〜３５０ｍＭ、さらに好ましくは４５〜３２０ｍＭである。あまり塩濃度が高いと抗原抗体反応に阻害的に作用し、あまり低いと非特異反応が増大する。また本願発明における塩は、その形態は限定されないが、特に好ましくは塩化ナトリウムが用いられる。
これらはいずれも市販品などを用いることができる。塩濃度の測定は種々の公知の方法、より具体的には、沈殿試薬を用いる重量法、キレート試薬や比色試薬を用いる滴定法や比色法、金属イオンの炎色を利用する炎光分析法、イオン選択性電極を用いた電極法、散乱光方式による塩化イオンセンサーを用いる方法、ＳＰＱやＭＱＡＥのような蛍光試薬を用いる方法などで行うことが出来る。
【００２０】
本発明は免疫アッセイを行うための免疫反応促進用組成物であり、２以上の組成物の組み合わせ、たとえば一次抗体反応促進用組成物と二次抗体反応促進用組成物の組み合わせからなるものであってもよい。その場合における各組成物の塩濃度は、特に限定されるものではないが、好ましくは４０〜４００ｍＭである。
さらに好ましくは、本願発明の上記各組成物における塩濃度は、一次抗体反応促進用組成物は４０〜１００ｍＭ、二次抗体反応促進用組成物は１５０〜４００ｍＭである。ここでいう一次抗体とは、二段階の抗原抗体反応によって抗原の検出感度を増大させる場合において、検出すべき抗原に直接結合する抗体を言い、また二次抗体とは、一次抗体に特異的に結合する抗体を言い、二次抗体には検出のための酵素、色素などが付加されている場合が多い。一次抗体反応促進用組成物の塩濃度が高いと抗原抗体反応に阻害的に作用し、二次抗体促進用組成物の塩濃度が低いと非特異反応が増大する。また、抗原に直接結合する抗体に酵素、色素等が付加されたものを用いて、一段階の抗原抗体反応により検出を行う際の塩濃度は１５０〜４００ｍＭが好ましい。また本願発明における塩は、その形態は限定されないが、特に好ましくは塩化ナトリウムが用いられる。
これらはいずれも市販品などを用いることができる。塩濃度の測定は種々の公知の方法、より具体的には、沈殿試薬を用いる重量法、キレート試薬や比色試薬を用いる滴定法や比色法、金属イオンの炎色を利用する炎光分析法、イオン選択性電極を用いた電極法、散乱光方式による塩化イオンセンサーを用いる方法、ＳＰＱやＭＱＡＥのような蛍光試薬を用いる方法などで行うことが出来る。
【００２１】
また、本願発明の組成物には、適用する種々の実験手法に応じてさらに、本願発明に好ましい効果をもたらす他の物質を含有あるいは選択することができる。具体的には、緩衝剤（緩衝液）、アニオン系界面活性剤、カチオン系界面活性剤、酵素安定化剤、タンパク質分解酵素阻害剤、ホスファターゼ阻害剤等が挙げられる。更に、緩衝液のより具体的な例としては、グリシン、フタル酸、クエン酸、β，β’−ジメチルグルタル酸、コハク酸、酢酸、ヒスチジン、マレイン酸、カコジル酸、β−グリセロリン酸、イミダゾール、リン酸、ヒ酸、トリエタノールアミン、５，５−ジエチルパルビツル酸、トリス（ヒドロキシメチル）アミノメタン、グリシルグリシン、ピロリン酸、ホウ酸、炭酸、またはグッドバッファー等が挙げられ、グッドバッファーのより具体的な例としては、ＭＥＳ、ＨＥＰＰＳ、ＭＯＰＳＯ、ＰＯＰＳＯ、ビス−トリス、ＡＤＡ、ＰＩＰＥＳ、ＡＣＥＳ、コラミンクロリド、ＢＥＳ、ＭＯＰＳ、ＴＥＳ、ＨＥＰＥＳ、アセトアミドグリシン、トリシン、ＴＡＰＳ、ビシン、ＣＨＥＳ、ＣＡＰＳなどが挙げられる。その中でも好ましくはトリス（ヒドロキシメチル）アミノメタン、リン酸、ＨＥＰＥＳ、炭酸などを用いることが出来る。
【発明の効果】
【００２２】
本発明により提供される免役反応用組成物を用いることにより、従来法に比べて抗原抗体反応の効率が向上し、高い検出感度や精製効率を持つ免疫アッセイを行うことができる
。
【発明を実施するための最良の形態】
【００２３】
本願発明の詳細を実施例で説明する。本願発明はこれら実施例によって何ら限定されるものではない。
【００２４】
実施例１
ウェスタンブロッティングによる従来組成との比較
抗原は、無細胞タンパク質合成キットＰＲＯＴＥＩＯＳ（東洋紡績社製）で合成したヒトＥＲＫ２タンパク質を用いた。タンパク質合成は、ＰＲＯＴＥＩＯＳの標準プロトコル（重層法）に従い、２３℃で１６時間行った。合成完了したタンパク質溶液をＴＢＳ（０．１％Ｔｗｅｅｎ−２０含有）を用いて段階希釈し、ＰＡＧミニ「第一」（１５−２５％、１３％）ポリアクリルアミドゲル（第一化学社製）を用いて、ＳＤＳ−ポリアクリルアミドゲル電気泳動を行った。サンプルのアプライは、２倍希釈、４倍希釈、８倍希釈、1６倍希釈、３２倍希釈の５種のサンプルをそれぞれアプライし、無細胞タンパク質合成を行わなかったＰＲＯＴＥＩＯＳ反応組成液をネガティブコントロールとしてアプライし、分子量マーカーをアプライし、再び５種のサンプルとネガティブコントロールをアプライした。また、電気泳動は、１５ｍＡで９０分間行った。その後、電気泳動を行ったゲルから、Ｉｍｍｕｎ−Ｂｌｏｔ  ＰＶＤＦ  Ｍｅｍｂｒａｎｅ（Ｂｉｏ−Ｒａｄ社製）へタンパク質をトランスファーした。トランスファーは、膜の面積ｘ０．８ｍＡで、６０分間行った。膜をＴＢＳ（０．１％Ｔｗｅｅｎ−２０含有）を用いて洗浄し、続いてブロッキング反応を行った。ブロッキングは、スキムミルク（Ｄｉｆｃｏ社製）をＴＢＳ（０．１％Ｔｗｅｅｎ−２０含有）に５重量％で溶解させたブロッキング液を用い、ブロッキング液中に膜を浸して３７℃で一時間インキュベートして行った。その後、膜をＴＢＳ（０．１％Ｔｗｅｅｎ−２０含有）で洗浄し、続いて一次抗体反応を行った。一次抗体反応は、以下のようにして行った。まず、１ｘＰＢＳ（−）に、最終濃度０．１重量％の加水分解カゼイン溶液（ＩＣＮバイオメディカル社製）および最終濃度４％のポリエチレングリコール＃６，０００を加えた混合液を調製した（Ａ液）。また、ウェスタンブロッティングにおける抗体希釈液として汎用される、ＴＢＳ（０．１％Ｔｗｅｅｎ−２０含有）を対照として用いた（Ｂ液）。それぞれの混合液を用い、抗Ｈｉｓ−ｐｒｏｂｅウサギＩｇＧ（Ｓａｎｔａ  Ｃｒｕｚ社製）を２０００倍希釈したものを調製し、一次抗体溶液とした。ブロッキング後の膜を、分子量マーカーを電気泳動したレーンではさみで切り離し、左側をＡ液による抗体希釈液、右側をＢ液による抗体希釈液に浸し、３７℃で一時間インキュベートして反応を行った。各膜をＴＢＳ（０．１％Ｔｗｅｅｎ−２０含有）で洗浄し、続いて二次抗体反応を行った。二次抗体反応は、一次抗体反応で用いたものと同組成の混合液を抗体希釈液として用いて行った。二次抗体としては抗ウサギＩｇＧヤギＩｇＧ（ＨＲＰ標識）（Ｓａｎｔａ  Ｃｒｕｚ社製）を用い、各混合液で２０，０００倍希釈して反応を行った。その後、各膜をＴＢＳ（０．１％Ｔｗｅｅｎ−２０含有）で洗浄し、続いて酵素基質反応を行った。基質液としてＥＣＬ  Ｐｌｕｓ（Ａｍｅｒｓｈａｍ  Ｂｉｏｓｃｉｅｎｃｅｓ社製）を用い、室温で５分間インキュベートして反応させた。その反応終了後の膜について、発光イメージアナライザーＦＡＳ−１０００（東洋紡績社製）を用いて、発光シグナルの検出を行った。
その結果を図１に示す。本発明に基づいて組成したＡ液により抗体を希釈して測定を行ったものは、従来法で用いられるＢ液を使用した場合の測定結果と比較して、測定感度は格段に高いことが確認された。
【００２５】
実施例２
免疫染色による従来組成との比較
染色するサンプルは、ヒト正常大動脈血管内皮細胞（東洋紡績社製）をメタノール固定したものを用いた。続いてブロッキング反応を行った。ブロッキングは、スキムミルク（Ｄｉｆｃｏ社製）を１ｘＰＢＳ（−）に１重量％で溶解させたブロッキング液を用い、ブロッキング液をサンプルに滴下し室温で一時間行った。その後、サンプルを１ｘＰＢＳ（−）で洗浄し、続いて一次抗体反応を行った。一次抗体反応は、以下のようにして行った。まず、１ｘＰＢＳ（−）に、最終濃度０．１重量％の加水分解カゼイン溶液（ＩＣＮバイオメディカル社製）および最終濃度４％のポリエチレングリコール＃６，０００を加えた混合液を調製した（Ａ液）。また、上記のブロッキング液を対照として用いた（Ｂ液）。それぞれの混合液を用い、抗ヒトＶｏｎ  Ｗｉｌｌｅｂｒａｎｄ  ＦａｃｔｏｒマウスＩｇＧ（Ｄａｋｏ社製）を５０倍希釈したものを調製し、一次抗体溶液とした。ブロッキング後のサンプルに、それぞれの抗体希釈液を滴下し、室温で３０分間反応を行った。各サンプルを１ｘＰＢＳ（−）で洗浄し、続いて二次抗体反応を行った。二次抗体反応は、一次抗体反応で用いたものと同組成の混合液を抗体希釈液として用いて行った。二次抗体としては抗マウスＩｇＧビオチン化抗体（東洋紡績社製）を用い、各混合液で１００倍希釈して反応を行った。その後、各サンプルを１ｘＰＢＳ（−）で洗浄し、続いてアビジン−ビオチン複合体溶液を滴下して、室温で３０分間反応させた。その後、各サンプルを１
ｘＰＢＳ（−）で洗浄し、酵素基質反応を行った。基質液としてＨＲＰ  Ｉｍｍｕｎｏｓｔａｉｎｉｎｇ  Ｋｉｔ（東洋紡績社製）に付属の基質液を用い、室温で１０分間インキュベートして反応させた。その反応終了後のサンプルについて、蒸留水で洗浄を行った後、グリセリンで封入し、光学顕微鏡観察を行った。
その結果を図２および図３に示す。本発明に基づいて組成したＡ液により抗体を希釈して測定を行ったものは、従来法で用いられるＢ液を使用した場合の測定結果と比較して、測定感度は格段に高いことが確認された。
【００２６】
実施例３
ＥＬＩＳＡ（Ｅｎｚｙｍｅ−ｌｉｎｋｅｄ  Ｉｍｍｕｎｏｓｏｒｂｅｎｔ  Ａｓｓａｙ）による従来組成との比較
抗原は、ＭＡＰ  ｋｉｎａｓｅ  ｐ４２（ＦＬ）（Ｓａｎｔａ  Ｃｒｕｚ社製）を用いた。抗原溶液を炭酸バッファー（１５ｍＭ  炭酸ナトリウム、３５ｍＭ  炭酸水素ナトリウム）を用いて２，０００倍希釈し、９６穴ＥＬＩＳＡプレートに１００μｌずつ分注し、３７℃で一時間インキュベートして抗原の固相化を行った。その後、ウェルを１ｘＰＢＳ（−）で洗浄し、続いてブロッキング反応を行った。ブロッキングは、スキムミルク（Ｄｉｆｃｏ社製）を１ｘＰＢＳ（−）（０．１％Ｔｗｅｅｎ−２０含有）に３重量％で溶解させたものを用い、各ウェルに２５０μｌずつ分注して、３７℃で一時間インキュベートして行った。その後、ウェルを１ｘＰＢＳ（−）（０．１％Ｔｗｅｅｎ−２０含有）で洗浄し、続いて一次抗体反応を行った。一次抗体反応は、以下のようにして行った。まず、１ｘＰＢＳ（−）に、最終濃度０．００１重量％〜１重量％の濃度系列の加水分解カゼイン溶液（ＩＣＮバイオメディカル社製）および最終濃度４％のポリエチレングリコール＃６，０００を加えた混合液を調製した（Ａ液シリーズ）。また、１ｘＰＢＳ（−）に、０．０１重量％の加水分解カゼイン溶液を加えた混合液を調製した（Ｂ液）。それぞれの混合液を用い、抗Ｈｉｓ−ｐｒｏｂｅウサギＩｇＧ（Ｓａｎｔａ  Ｃｒｕｚ社製）を２０００倍希釈したものを調製し、一次抗体溶液とした。それぞれの一次抗体溶液を各ウェルに１００μｌずつ分注し、３７℃で一時間インキュベートした。その後、ウェルを１ｘＰＢＳ（−）（０．１％Ｔｗｅｅｎ−２０含有）で洗浄し、続いて二次抗体反応を行った。二次抗体反応は、一次抗体反応で用いたものと同組成の混合液を抗体希釈液として用いて行った。二次抗体としては抗ウサギＩｇＧヤギＩｇＧ（ＨＲＰ標識）（Ｓａｎｔａ  Ｃｒｕｚ社製）を用い、各混合液で２０，０００倍希釈して反応を行った。その後、ウェルを１ｘＰＢＳ（−）（０．１％Ｔｗｅｅｎ−２０含有）で洗浄し、続いて酵素基質反応を行った。基質液としてＴＭＢ（ＢｉｏＦＸ社製）を用い、各ウェルに１００μｌ加え、３７℃で２０分間インキュベートした。その後、１規定の硫酸を各ウェルに１００μｌ加え、反応を停止させた。その反応終了液について、プレートリーダで４５０ｎｍの吸光度を測定した。
その結果を図４に示す。ポリエチレングリコールを加えたＡ液シリーズにより抗体を希釈して測定を行ったものは、カゼインの濃度により明らかに測定感度が異なることが確認された。また、図５に示すポリエチレングリコールを加えなかったＢ液の測定結果と比較して、ポリエチレングリコールを加えたＡ液シリーズの測定感度は格段に高いことが確認された。
【００２７】
実施例４
ＥＬＩＳＡ（Ｅｎｚｙｍｅ−ｌｉｎｋｅｄ  Ｉｍｍｕｎｏｓｏｒｂｅｎｔ  Ａｓｓａｙ）による従来組成との比較
抗原は、ＭＡＰ  ｋｉｎａｓｅ  ｐ４２（ＦＬ）（Ｓａｎｔａ  Ｃｒｕｚ社製）を用いた。抗原溶液を炭酸バッファー（１５ｍＭ  炭酸ナトリウム、３５ｍＭ  炭酸水素ナトリウム）を用いて２，０００倍希釈し、９６穴ＥＬＩＳＡプレートに１００μｌずつ分注し、３７℃で一時間インキュベートして抗原の固相化を行った。その後、ウェルを１ｘＰＢＳ（−）で洗浄し、続いてブロッキング反応を行った。ブロッキングは、スキムミルク（Ｄｉｆｃｏ社製）を１ｘＰＢＳ（−）（０．１％Ｔｗｅｅｎ−２０含有）に３重量％で溶解させたものを用い、各ウェルに２５０μｌずつ分注して、３７℃で一時間インキュベートして行った。その後、ウェルを１ｘＰＢＳ（−）（０．１％Ｔｗｅｅｎ−２０含有）
で洗浄し、続いて一次抗体反応を行った。一次抗体反応は、以下のようにして行った。まず、１ｘＰＢＳ（−）から塩化ナトリウム濃度を５０ｍＭに減らした溶液を元に、最終濃度０．０１重量％の加水分解カゼイン溶液（ＩＣＮバイオメディカル社製）および最終濃度４％のポリエチレングリコール＃６，０００を加えた混合液を調製した（Ｃ液）。またまず、１ｘＰＢＳ（−）から塩化ナトリウム濃度を３００ｍＭに増やした溶液を元に、最終濃度０．０１重量％の加水分解カゼイン溶液（ＩＣＮバイオメディカル社製）および最終濃度４％のポリエチレングリコール＃６，０００を加えた混合液を調製した（Ｄ液）。それぞれの混合液を用い、抗Ｈｉｓ−ｐｒｏｂｅウサギＩｇＧ（Ｓａｎｔａ  Ｃｒｕｚ社製）を２０００倍希釈したものを調製し、一次抗体溶液とした。それぞれの一次抗体溶液を各ウェルに１００μｌずつ分注し、３７℃で一時間インキュベートした。その後、ウェルを１ｘＰＢＳ（−）（０．１％Ｔｗｅｅｎ−２０含有）で洗浄し、続いて二次抗体反応を行った。二次抗体反応は、一次抗体反応で用いたものと同組成の混合液を抗体希釈液として用いて行った。二次抗体としては抗ウサギＩｇＧヤギＩｇＧ（ＨＲＰ標識）（Ｓａｎｔａ  Ｃｒｕｚ社製）を用い、各混合液で２０，０００倍希釈して反応を行った。一次抗体反応と二次抗体反応は、一次抗体反応でＣ液またはＤ液を用いたもの、二次抗体反応でＣ液またはＤ液を用いたものの組み合わせで、計４系列の組み合わせで比較検討を行った。その後、ウェルを１ｘＰＢＳ（−）（０．１％Ｔｗｅｅｎ−２０含有）で洗浄し、続いて酵素基質反応を行った。基質液としてＴＭＢ（ＢｉｏＦＸ社製）を用い、各ウェルに１００μｌ加え、３７℃で２０分間インキュベートした。その後、１規定の硫酸を各ウェルに１００μｌ加え、反応を停止させた。その反応終了液について、プレートリーダで４５０ｎｍの吸光度を測定した。
その結果、一次抗体反応：二次抗体反応の組み合わせがＣ：Ｃ、Ｃ：Ｄ、Ｄ：Ｃ、Ｄ：Ｄのそれぞれについて、シグナル対ノイズ比（Ｓ／Ｎ比）の値はＣ：Ｄ＞Ｄ：Ｄ＞Ｃ：Ｃ＞Ｄ：Ｃの順になった。このことから、二次抗体反応液の塩濃度を一次抗体反応液より高めることにより最も高いＳ／Ｎ比を得ることが確認された。
【００２８】
実施例５
抗体の希釈による保存安定性の比較
抗原は、ＭＡＰ  ｋｉｎａｓｅ  ｐ４２（ＦＬ）（Ｓａｎｔａ  Ｃｒｕｚ社製）を用いた。抗原溶液を炭酸バッファー（１５ｍＭ  炭酸ナトリウム、３５ｍＭ  炭酸水素ナトリウム）を用いて２，０００倍希釈し、９６穴ＥＬＩＳＡプレートに１００μｌずつ分注し、３７℃で一時間インキュベートして抗原の固相化を行った。その後、ウェルを１ｘＰＢＳ（−）で洗浄し、続いてブロッキング反応を行った。ブロッキングは、スキムミルク（Ｄｉｆｃｏ社製）を１ｘＰＢＳ（−）（０．１％Ｔｗｅｅｎ−２０含有）に３重量％で溶解させたものを用い、各ウェルに２５０μｌずつ分注して、３７℃で一時間インキュベートして行った。その後、ウェルを１ｘＰＢＳ（−）（０．１％Ｔｗｅｅｎ−２０含有）で洗浄し、続いて一次抗体反応を行った。一次抗体反応は、以下のようにして行った。まず、１ｘＰＢＳ（−）に、最終濃度０．０１重量％の加水分解カゼイン溶液（ＩＣＮバイオメディカル社製）および最終濃度４％のポリエチレングリコール＃６，０００を加えた混合液を調製した（Ｅ液）。また、１ｘＰＢＳ（−）に、最終濃度４％のポリエチレングリコール＃６，０００を加えた混合液を調製した（Ｆ液）。また、１ｘＰＢＳ（−）に、０．０１重量％の加水分解カゼイン溶液を加えた混合液を調製した（Ｇ液）。また、１ｘＰＢＳ（−）のみで構成された溶液を調製した（Ｈ液）。それぞれの混合液を用い、抗Ｈｉｓ−ｐｒｏｂｅウサギＩｇＧ（Ｓａｎｔａ  Ｃｒｕｚ社製）を２０００倍希釈したものを調製し、一次抗体溶液とした。それぞれの一次抗体液は、３７℃で２週間保存した後に、検討に用いた。それぞれの一次抗体溶液を各ウェルに１００μｌずつ分注し、３７℃で一時間インキュベートした。その後、ウェルを１ｘＰＢＳ（−）（０．１％Ｔｗｅｅｎ−２０含有）で洗浄し、続いて二次抗体反応を行った。二次抗体反応は、一次抗体反応で用いたものと同組成の混合液を抗体希釈液として用い、同様に３７℃で２週間保存した後に、検討に用いた。二次抗体としては抗ウサギＩｇＧヤギＩｇＧ（ＨＲＰ標識）（Ｓａｎｔａ  Ｃｒｕｚ社製）を用い、各混合液で２０，０００倍希釈して反応を行った。その後、
ウェルを１ｘＰＢＳ（−）（０．１％Ｔｗｅｅｎ−２０含有）で洗浄し、続いて酵素基質反応を行った。基質液としてＴＭＢ（ＢｉｏＦＸ社製）を用い、各ウェルに１００μｌ加え、３７℃で２０分間インキュベートした。その後、１規定の硫酸を各ウェルに１００μｌ加え、反応を停止させた。その反応終了液について、プレートリーダで４５０ｎｍの吸光度を測定した。
その結果、ポリエチレングリコールおよび加水分解カゼインを加えたＥ液、ポリエチレングリコールのみを加えたＦ液、加水分解カゼインのみを加えたＧ液、両者とも加えなかったＨ液のそれぞれのシグナル強度は、Ｅ＞Ｇ＞Ｈ＞Ｆとなり、ポリエチレングリコールによる抗体の保存安定性低下は、加水分解カゼインの添加により解消され、またポリエチレングリコールを加えなかった場合に比べても保存安定性がむしろ向上していることが確認された。
【産業上の利用可能性】
【００２９】
本発明の免疫反応促進用組成物を用いて、ウェスタンブロッティング、ドットブロッティング、免疫組織染色、酵素免疫測定、放射免疫測定、免疫沈降、フローサイトメトリー等の免疫アッセイを効率よく行うことができ、産業界に寄与すること大である。
【図面の簡単な説明】
【００３０】
【図１】ウェスタンブロッティングによる比較を行った結果を示す図。
【図２】Ａ液を用いて免疫染色を行った結果を示す図。
【図３】Ｂ液を用いて免疫染色を行った結果を示す図。
【図４】ポリエチレングリコールを加えたＡ液シリーズを用いてＥＬＩＳＡを行った結果を示す図。
【図５】ポリエチレングリコールを加えなかったＢ液を用いてＥＬＩＳＡを行った結果を示す図。
【図１】
2006126166.tif 000002
【図２】
2006126166.tif 000003
【図３】
2006126166.tif 000004
【図４】
2006126166.tif 000005
【図５】
2006126166.tif 000006